(57)【要約】【課題】  実物のネイルチップを練習に使用するので練習の効果が上るし、指先部を所望の方向に変位可能なので実技と同等の実践的な練習が可能であり、また機構が簡単で軽量であることから取り扱い性に優れていると共に、製造コストも安価であるネイルケア練習用具を提供する。【解決手段】  平板状の基部１から第１指部２が突出形成してある。第２指部３は第１関節４を介して第１指部２に上下方向に屈曲可能に、横方向に回動可能に連結してある。指先部５は第２関節６を介して第２指部３に上下方向に屈曲可能に連結してある。指先部５の指先には爪床５Ｃが形成してあり、爪床５Ｃの奥にはネイルチップを挿脱可能に挿装するチップ挿着溝５Ｄが形成してある。【選択図】  図２
2006320451.tif 000002
【特許請求の範囲】
【請求項１】
第１指部と、第１関節を介して該第１指部の上端側に上下方向に屈曲自在に連結した第２指部と、第２関節を介して該第２指部の上端側に上下方向に屈曲自在に連結され、先端側にネイルチップを挿脱可能に挿装するチップ装着溝が形成してある指先部とから構成してなるネイルケア練習用具。
【請求項２】
前記第１指部には、下端側に載置兼保持用の基部を設けてあることを特徴とする請求項１記載のネイルケア練習用具。
【請求項３】
前記第１関節は、前記第２指部を横方向に回動可能に支持していることを特徴とする請求項１記載のネイルケア練習用具。
【請求項４】
前記指先部は、複数種のものを前記第２関節に交換可能に連結してあることを特徴とする請求項１記載のネイルケア練習用具。
【発明の詳細な説明】
【技術分野】
【０００１】
本発明は、ネイルエクステンション、ネイルリペア、ネイルアート等のネイルケア全般の技術を習得するために用いるネイルケア練習用具に関する。
【背景技術】
【０００２】
ネイルケアは遥か以前から行われているが、近年愛好者が拡大するのに伴ってネイルケアの専門技術を習得した技能者の養成が望まれている。この専門技術の習得には多くの練習を積むことが必要であることから、そのためのネイルケア練習用具が用いられている。
【０００３】
従来のネイルケア練習用具としては、例えば人指の形状を模した指型練習用具、支持アーム３で支持した原寸大の手模型２に着脱自在な爪体１を設けたネイルケア練習用具（特許文献１）が知られている。
【特許文献１】特開２０００−３３３７３１号公報
【発明の開示】
【発明が解決しようとする課題】
【０００４】
上述した従来技術のネイルケア練習用具のうち、指型練習用具は関節部分を可動に構成していないため、ネイルケアの実技とは感覚が異なることから実践的な練習ができないという欠点がある。また、特許文献１に記載の練習用具は、手模型２を可とう管からなる支持アーム３で支持しているため、練習時の手模型２の動きが制約されて実際の手の動きと異なることから実技と感覚が異なるという欠点、爪体１に設けた突起を指頭部の凹部に係合させる構成であるため、実際のネイルチップを練習に用いることができないし、特殊なネイルチップを用意しなければならないために費用が嵩むという欠点、また５本の手指と掌を含んで構成し、かつ５本の指に関節機構を設けているために相応の重量もあるし、機構が複雑で高価であるという欠点がある。
【０００５】
本発明は上述した従来技術の諸欠点に鑑みなされたもので、実物のネイルチップを練習に使用できるので練習の効果が上るし、指先部を所望の方向に変位させることが可能なので実技と同等の実践的な練習が可能であり、また機構が簡単で軽量であることから取り扱い性に優れていると共に、製造コストも安価であるネイルケア練習用具を提供することを目的とする。
【課題を解決するための手段】
【０００６】
上述した課題を解決するために構成された請求項１に係る本発明の手段は、第１指部と、第１関節を介して該第１指部の上端側に上下方向に屈曲自在に連結した第２指部と、第２関節を介して該第２指部の上端側に上下方向に屈曲自在に連結され、先端側にネイルチップを挿脱可能に挿装するチップ装着溝が形成してある指先部とからなる。
【０００７】
そして、前記第１指部には、下端側に載置兼保持用の基部を設けるとよい。
【０００８】
また、前記第１関節は、前記第２指部を横方向に回動可能に支持するとよい。
【０００９】
更に、前記指先部は、複数種のものを前記第２関節に交換可能に連結するとよい。
【発明の効果】
【００１０】
本発明は以上詳述した如く構成したから、下記の諸効果を奏する。
（１）実物のネイルチップを練習に使用できるので実践的な練習を行うことができるし、練習の効果を上げることができる。
（２）指先部を手指と同様に所望の方向に変位させることが可能なので実技と同等の実践的な練習が可能である。
（３）１本の指に構成してあるから、機構が簡単であるし、軽量で取り扱い性に優れており、また製造コストも安価である。
（４）指先部は交換可能にしてあるから、指先部を交換することにより５本の指についての各々ネイルケアの練習を行うことができる。
【発明を実施するための最良の形態】
【００１１】
以下、本発明の実施の形態を図面に基づき詳述する。図において、１は基部で、該基部１は合成樹脂材、例えばＰＶＣやＡＢＳ樹脂により略楕円形で下面１Ａが平坦な平板状に成形してあり、机の上に置くことが可能であると共に、練習時に指の間に挟んで保持することもできるものである。２は該基部１の上面１Ｂから上方に突出した第１指部で、該第１指部２は上端面２Ａが前方を向いた傾斜面に形成してあり、該上端面２Ａに位置して後述する第１関節４を連結するための開口が拡開状になった球形凹部２Ｂが形成してある。
【００１２】
３は前記第１指部２に後述する第１関節４介して連結した第２指部を示し、該第２指部３は下端面３Ａと上端面３Ｂを傾斜面に形成することにより側面略台形状をなしている。そして、下端面３Ａに位置して下軸穴３Ｃが、上端面３Ｂに位置して上軸穴３Ｄが夫々形成してある。
【００１３】
４は前記第２指部３を第１指部２に連結する第１関節を示す。該第１関節４は、図２に示すように軸部４Ａの下端に球形部４Ｂを形成したものからなり、軸部４Ａを第２指部３の下軸穴３Ｃに挿着し、球形部４Ｂを第１指部２の球形凹部２Ｂに回動自在に嵌合してある。かくして、第１指部２と第２指部３は屈曲のための間隙Ｓを存して第１関節４により連結してあり、第２指部３は矢示イ、ロ方向の上下方向に屈曲可能であると共に、矢示ハ、ニ方向の横方向に回動可能であることから、略３６０度の方向に変位可能になっている。
【００１４】
更に、５は人の指先と同様に成形した指先部を示す。該指先部５は下端面５Ａを傾斜面に形成し、下端面５Ａに位置して軸穴５Ｂを長手方向に形成してあり、指先の爪の位置には爪床５Ｃを形成し、爪床５Ｂの奥には種々のネイルチップＡを挿脱自在に挿装できる深さ約５ｍｍのチップ挿着溝５Ｄが形成してある。
【００１５】
６は前記指先部５を第２指部３に対して矢示ホ、へ方向の上下方向に屈曲可能に連結する第２関節を示す。該第２関節６はピン結合して略「く」字状に屈曲自在な下側軸６Ａと上側軸６Ｂとから構成してあり、下側軸６Ａは第２指部３の上軸穴３Ｄに挿着し、上側軸６Ｂは指先部５の軸穴５Ｂに挿脱可能に挿着することにより、第２指部３と指先部５は屈曲のための間隙Ｓを存して連結してある。
【００１６】
本実施の形態は上述の構成からなり、その使用方法は指先部５のチップ挿着溝５Ｄに練習のための適宜の実物のネイルチップＡを挿装する。図５は右利きの練習者が、左手の親指と人指し指で指先部５を支えた状態にして、ネイルチップＡにヤスリをかける練習を行う状態を示している。図６は図５と同様にして指先部５を支え、右手でネイルチップＡにマニキュアを行う練習を示している。これらの練習時、指先部５は練習者の思いのとおりに上下方向、横方向に変位自在であるから、練習者は実際の手指を保持したのと略同様の状態でネイルケアの実践的な練習を行うことができる。
【００１７】
そして、指先部５は第２関節６に着脱可能に挿着してあるから、大きさや５本指或いは親指、中指、小指の３本の指の指先部を交換することにより、形状の異なる指先部のネイルケアの練習を行うことができる。また、ネイルチップＡは指先部５に挿脱可能に挿装してあるから、種々のタイプのネイルチップＡを交換することにより種々のネイルケアの実践的な練習を行うことができる。
【００１８】
なお、指先部５の爪床５Ｃに粘着剤を塗着してネイルチップＡを剥離可能に貼着することにより、ネイルチップＡをより強固に保持するようにしてもよい。
【００１９】
また、第２指部３及び指先部５は、第１指部２と同じ材料により成形してあるが、質感を柔らかくするためにゴム、シリコンゴム、ナイロン等で成形してもよい。
【図面の簡単な説明】
【００２０】
【図１】本発明の形態に係るネイルケア練習用具の側面図である。
【図２】ネイルケア練習用具の内部構成を示す断面図である。
【図３】指先部の正面図である。
【図４】図３中のＩＶ−ＩＶ矢示方向断面図である。
【図５】ネイルケア練習用具の使用状態説明図である。
【図６】ネイルケア練習用具の他の使用状態説明図である。
【符号の説明】
【００２１】
２        第１指部
３        第２指部
４        第１関節
５        指先部
５Ｄ      チップ挿着溝
６        第２関節
【図１】
2006320451.tif 000003
【図２】
2006320451.tif 000004
【図３】
2006320451.tif 000005
【図４】
2006320451.tif 000006
【図５】
2006320451.tif 000007
【図６】
2006320451.tif 000008